(57)【要約】【課題】移動体である車をターゲットに１２セグメント放送と１セグメント放送を同時に受信可能な受信機が発売されているが、今後1セグメント放送がサイマル放送でなくなった場合には、必ずしも自動的に切り替えることがユーザーにとってメリットがあるとは限らない。【解決手段】受信したデジタル放送波から、固定端末向けデジタル放送用データと移動体向けデジタル放送用データとを分離する分離部と、分離したそれぞれのデータを復号化する復号化部と、受信した放送がサイマル放送であるかを判定する判定部と、視聴する放送を設定する設定部と、設定部の選択した放送を選択して出力する出力部とを備え、さらに設定部が固定端末向けデジタル放送と移動体向けデジタル放送の出力を自動的に切り替える自動切換え機能を備え、ユーザー操作により自動切換え機能の有効・無効を設定するものとする。【選択図】図１
2009290507.tif 000002
【特許請求の範囲】
【請求項１】
複数の階層の異なる放送を受信可能なデジタル放送受信装置であって、
第1の階層および第２の階層の放送を受信する受信手段と、
前記受信手段で受信した第１および第２の階層の放送を復号化する復号化手段と、
前記受信手段で受信中の放送の電波の強度を検出する検出手段と、
前記復号化手段で復号化した第１又は第２の階層のいずれかを、前記検出手段での電波強度に応じて自動的に切り替えて出力する自動切替機能を有する出力手段と、
前記出力手段での自動切替機能の有効・無効の設定をユーザーが指定するための情報設定手段を備えることを特徴とするデジタル放送受信装置。
【請求項２】
前記情報設定手段が、前記自動切換えの有効・無効の設定を、デジタル放送に含まれるNITに記述されているnetwork_id、またはBITに記述されているterrestrial_broadcaster_id、またはSDTに記述されているservice_idの単位で設定することを
特徴とする請求項１記載のデジタル放送受信装置。
【請求項３】
前記情報設定手段が、前記自動切換えの有効・無効の設定を、番組、または曜日、または時間帯、またはそれらの組み合わせをユーザーが指定することにより設定することを特徴とする請求項１記載のデジタル放送受信装置。
【請求項４】
複数の階層の異なる放送を受信可能なデジタル放送受信装置であって、
第1の階層および第２の階層の放送を受信する受信手段と、
前記受信手段で受信した第１および第２の階層の放送を復号化する復号化手段と、
前記受信手段で受信中の放送の電波の強度を検出する検出手段と、
前記復号化手段で復号化した第１又は第２の階層のいずれかを選択して出力する出力手段と、
前記検出手段で前記第１の放送の電波の強度が弱い場合に、前記第１および第２の階層での放送内容が同一であるか否かを判別する判別手段と、
前記判別手段で同一であると判断された場合には前記第２の階層の放送を、それ以外は第１の階層の放送を出力手段で選択することを特徴とするデジタル放送受信装置。
【請求項５】
前記判別手段でサイマル放送でない放送が検出されたときには、前記サイマル放送でない放送を独立して選局する専用のユーザーインターフェースを提供する選局手段をさらに具備することを特徴とする請求項４記載のデジタル放送受信装置。
【請求項６】
前記判別手段でサイマル放送でない放送の開始を検出した場合に、ユーザーに通知する通知手段をさらに具備することを特徴とする請求項４記載のデジタル放送受信装置。
【請求項７】
前記通知手段が、現在視聴中の放送と放送内容が類似、または事前にユーザーが登録した嗜好情報と一致した場合にのみ通知することを特徴とする請求項６記載のデジタル放送受信装置。
【請求項８】
前記判別手段でサイマル放送でない放送が終了した場合に、現在受信可能な番組を検出して選局する選局手段をさらに具備することを特徴とする請求項４記載のデジタル放送受信装置。
【請求項９】
前記選局手段が、前記サイマル放送でない放送と類似した番組がある場合には、当該番組を選局することを特徴とする請求項８記載のデジタル放送受信装置。
【発明の詳細な説明】
【技術分野】
【０００１】
本発明は、地上波デジタル放送を受信する受信装置に関するものであり、特に固定受信機向けと携帯受信機向けの放送の切り替えるデジタル放送受信装置に関する。
【背景技術】
【０００２】
近年、地上波放送は２０１１年のアナログ方式の終了に向けてデジタル方式への移行が始まっており、現在デジタル放送のサービスエリアがどんどん拡大している。デジタル放送には、主に固定端末をターゲットとした１２セグメントの帯域を使用した１２セグメント放送と、携帯端末をターゲットとした１セグメントの帯域を使用した１セグメント放送とがある。
【０００３】
現在、主に移動体である車をターゲットに１２セグメント放送と１セグメント放送を同時に受信可能な受信機が発売されている。これらの受信機は、電波の状態により１２セグメント放送や１セグメントを自動的に切り替えて受信する機能を搭載している（例えば、特許文献１参照）。現在のところ、１２セグメント放送と１セグメント放送はサイマル放送と呼ばれる同一の内容の放送を行うよう義務づけれらているが、２００８年度４月以降はその制約も無くなる。従って今後放送局各社が、１２セグメント放送とは内容の異なる１セグメント放送を送出する可能性がある。
【特許文献１】特開２００７−１８９４９７号公報
【発明の開示】
【発明が解決しようとする課題】
【０００４】
しかし、今後1セグメント放送がサイマル放送でなくなった場合には、必ずしも自動的に切り替えることがユーザーにとってメリットがあるとは限らず、また移動する受信機においては、受信する放送局が変更になるたびに、放送受信装置の受信設定の変更を実施することが必要となる。
【０００５】
上記問題に鑑み、本発明は１２セグメントと１セグメントの切り替え設定を、移動して受信する放送局が変更になっても、同一の放送を流しているという場合には、設定を継続する。
また、１２セグメント放送と１セグメント放送がサイマル放送でなくなった場合の放送の視聴方法をユーザーに選択させる機能を提供することにより、ユーザーが所望する番組を視聴することが可能となるデジタル放送受信装置を提供することを課題とする。
【課題を解決するための手段】
【０００６】
上記課題を解決するために本発明が講じた手段は、受信したデジタル放送波から、固定端末向けデジタル放送用データと移動体向けデジタル放送用データとを分離する分離部と、分離したそれぞれのデータを復号化する復号化部と、受信中の電波の状況を検出する検出部と、固定端末向けデジタル放送と移動体向けデジタル放送の出力を自動的に切り替える自動切替機能を備える出力部と、自動切替の有効・無効を設定する設定部と、を備えたものとする。
【０００７】
好ましくは、設定部は受信したデジタル放送に含まれる情報、または、番組、曜日、時間帯などのユーザーの指定を用いて出力部からの出力を決定するものとする。
【０００８】
また、上記課題を解決するために本発明が講じた第２の手段は、受信したデジタル放送波から、固定端末向けデジタル放送用データと移動体向けデジタル放送用データとを分離する分離部と、分離したそれぞれのデータを復号化する復号化部と、受信中の電波の状況を検出する検出部と、検出部で電波状況が悪い場合に受信した放送がサイマル放送であるかを判定する判定部と、判定部の結果に従って放送を選択して出力する出力部とを備えたものとする。
【０００９】
また、好ましくは、判定部でサイマル放送でない放送が検出されたときには、サイマル放送でない放送を独立して選局する専用のインターフェースを提供する選局部をさらに備えるものとする。
【００１０】
また、好ましくは、判定部でサイマル放送でない放送が開始した場合に、現在視聴中の放送と類似、または事前にユーザーが登録したキーワードとマッチした場合にのみユーザーに通知する通知部をさらに備えるものとする。
【００１１】
また、好ましくは、判定部でサイマル放送でない放送が終了した場合に、現在受信可能な番組を検出して選局する選局部をさらに備え、選局部が終了したサイマル放送でない放送と類似した番組がある場合には、当該番組を選局するものとする。
【発明の効果】
【００１２】
以上のように、本発明によれば、固定端末向けデジタル放送と移動体向けデジタル放送が、サイマル放送を行っている場合には番組を継続して視聴できるように切り替え、サイマル放送でない場合には、ユーザーの設定により、所望のイベントを視聴することを可能にすることが出来る。
【発明を実施するための最良の形態】
【００１３】
(実施の形態１)
以下、本発明を実施するための第１の最良の形態について、図面を参照しながら説明する。図１は、本発明に係るデジタル放送受信装置の一構成形態を示す。本装置は、複数の階層デジタル放送波（例えば、１２セグメントからなる固定放送及び１セグメントからなる移動放送等）を受信すると共に、受信している電波の強度を検出する放送受信部１０１、受信した複数の階層からなるデジタル放送を分離する放送分離部１０２と、複数の階層の一つである固定端末向けデジタル放送を復号化する固定放送復号化部１０３と、複数の階層の別の一つである移動端末向けデジタル放送を復号化する移動放送復号化部１０４と、固定放送復号化部１０３または移動放送復号化部１０４の出力を選択して出力する出力切替部１０５と、ユーザーに受信時の動作を設定させるための例えば、リモコン等の外部入力装置（図示せず）からの信号を入力するユーザーI/F部１０６と、出力切替部１０５の動作を設定する放送切替方法設定部１０７とを備えている。
【００１４】
なお、図１では、図示していないが、本発明のデジタル放送受信装置では、出力切替部１０５において固定放送復号化部１０３と移動放送復号化部１０４とのいずれかの出力を選択するタイミングとしては、例えば、固定放送復号化部１０３で復号した固定放送を受信している状態において、放送受信部１０１で検出している電波の強度が所定値以下になった場合等に切り替えることが考えられる。なお、ここで、電波の強度が所定値以下となる場合とは、固定放送が完全に受信不可能になる状態のみを示すものではなく、予め固定放送が受信困難な状態をも含むものである。
【００１５】
但し、本願発明はこれに限定されるものではなく、実際に電波の強度を測定する以外の方法として、予めメモリ内に地域毎の電波の強度に関する情報を備えておき、ＧＰＳ等で現在のデジタル放送受信装置の位置情報を取得することにより、電波の強度を計測することも可能である。本発明においては、直接電波の強度を測定する方法に加えて、このように間接的に電波の強度を測定する方法も含めて、検出手段において電波の強度の検出を行う。
【００１６】
以上の構成における本デジタル放送受信装置の動作を説明する。放送受信部１０１で受信したデジタル放送波を、放送分離部１０２で固定端末向けデジタル放送と移動体向けデジタル放送に分離する。分離したそれぞれの信号は固定放送復号化部１０３と移動放送復号化部１０４で復号化されて出力切替部１０５へと出力される。
【００１７】
ここで、出力切替部１０５での固定端末向けデジタル放送と移動体向けデジタル放送の出力の切り替えは、前記放送受信部１０１で検出している電波強度に応じて行われるが、本実施例においては、この切り替え機能設定の有効/無効は、ユーザーI/F部１０６を介してユーザーが設定した内容に従って、放送切替方法設定部１０７が決定して出力切替部１０５に設定することにより実現する。
【００１８】
一方、放送分離部１０２で分離されたデータは放送切替方法設定部１０７にも出力される。放送切替方法設定部１０７では、放送分離部１０２から送られたデータに基づき、例えば上記切り替え機能の有効/無効を、NITに記述されているnetwork_id、またはBITに記述されているterrestrial_broadcaster_id、またはSDTに記述されているservice_idを使用し、ユーザーI/F部１０６での設定も実際これらの単位で設定出来るようにする。
【００１９】
これは、例えば移動することにより電波状態が変わった場合に対応するために、自動切換えの設定の拡張を実施する。すなわち、この自動切換えの設定を現在受信している放送のみならず、同一の放送が実施されていると想定される放送にまで適用出来るようにするためである。これにより実際ユーザーがユーザーI/Fを通じて設定する回数を少なくすることが出来る。
【００２０】
なお、上記の実施の形態では放送信号内の情報を使用したが、番組、または曜日、または時間帯、またはそれらの組み合わせを使用して同じ機能を実現しても良く、ユーザーが指定することにより設定することを特徴とする
(実施の形態２)
以下、本発明を実施するための第１の最良の形態について、図面を参照しながら説明する。図２は、本発明に係るデジタル放送受信装置の一構成形態を示す。本装置は、実施の形態1の構成に、固定端末向けデジタル放送と移動体向けデジタル放送の放送内容が同じかどうかを判定するサイマル放送判定部２０７と、放送切替方法設定部１０７の代わりに出力切替部１０５の切り替え設定を行うサイマル放送切替設定部208を備えた構成となっている。
【００２１】
以上の構成における本デジタル放送受信装置の動作を説明する。放送受信部１０１で受信したデジタル放送波を、放送分離部１０２で固定端末向けデジタル放送と移動体向けデジタル放送に分離する。分離したそれぞれの信号は固定放送復号化部１０３と移動放送復号化部１０４で復号化されて出力切替部１０５へと出力される。
【００２２】
一方、放送分離部１０２で分離されたデータはサイマル放送判定部２０７にも出力される。サイマル放送判定部２０７では、放送受信部１０１で検出した電波強度が弱い場合に、現在受信している放送がサイマル放送かどうかを判定してサイマル放送切替方法設定部２０８へ出力する。サイマル放送判定部２０７での判定の方法としては、例えば固定端末向けデジタル放送に含まれる番組内容と移動体向けデジタル放送に含まれる番組内容を比較するなどの方法が考えられるが、その他の方法（例えば、デジタル放送波自体にサイマル放送であるか否かを示すフラグ情報が含まれており、そのフラグ情報をサイマル放送判定部において判定する等）でも可能である。要は、固定端末向けデジタル放送と、移動体向けデジタル放送の放送内容が同じであることがどうかを判断出来れば良い。また、放送分離部１０２からサイマル放送判定部２０７に送付されるデータは、判定に必要なデータだけ送付されればよい。
【００２３】
また、出力切替部１０５で固定端末向けデジタル放送と移動体向けデジタル放送の出力の切り替えは、ユーザーI/F部１０７を介してユーザーが設定した内容に従って、サイマル放送切替設定部２０８が決定して出力切替部１０５に設定することにより実現する。
【００２４】
ここでのサイマル放送切替設定部２０８の具体的な動作を説明する。例えば、ユーザーI/F部１０７を介してサイマル放送切替設定部２０８が保有する「固定端末向けデジタル放送と移動体向けデジタル放送の出力を自動的に切り替える自動切換え機能」の有効・無効が設定されたとする。  
【００２５】
サイマル放送切替設定部２０８では、自動切換え設定が有効、かつサイマル放送判定部２０６での判定結果がサイマルである場合には、受信状態などに従って、固定端末向けデジタル放送と移動体向けデジタル放送の出力を自動的に切り替えをするように出力切替部１０５を制御する。さらに、自動切換え設定が無効の場合やサイマル放送判定部２０７での判定結果がサイマルでない場合や、電波状態が良くサイマル放送検出が実施されなかった場合には、ユーザーの指定する放送を継続して出力する。
【００２６】
なお、本実施例でも、実施の形態１で説明した自動切換えの設定の拡張は同様に実施可能である。
【００２７】
なお、実際の放送でこれらの放送情報の検出は、サイマル放送判定部２０７で行っても良いし、図１で放送分離部１０２の出力をサイマル放送切り替え設定部２０８に入力するようにしサイマル放送切り替え部２０８で行っても良いし、放送分離部１０２で検出して、サイマル放送切り替え部２０８に伝送するようにしてもよい。
【００２８】
また、上記の実施の形態で、サイマル放送判定部２０７でサイマル放送でないと検出された場合に、ユーザーI/F部１０６に対して、例えば現在使用していないリモコンのチャンネル番号を割り当てて選局できるようにするなど、専用のユーザーI/Fを設ける構成を実現することも可能である。その場合、専用のユーザーI/Fとしてはユーザーに検知することが出来るものであれば何でもよくリモコンに限定されず任意である。
【００２９】
さらに、専用のI/Fを設けなくても例えばポップアップなどでユーザーに通知するだけでも良いし、その通知もユーザーの視聴の邪魔にならないように、現在視聴中の番組に類似している、またはユーザーの嗜好情報として予め登録したキーワードとマッチした場合のみ通知するなどの拡張を実現することも可能である。
【００３０】
さらに、サイマル放送でない放送を実際に視聴していた場合にも同様で、放送終了後は現在視聴中の番組と類似した番組を自動的に表示するなどの拡張を実現することも可能である。
【００３１】
なお、本発明においては、説明の簡単化のため、固定受信機向けと携帯受信機向けについて説明したが、本発明はこれに限定されるものではなく、複数の異なる放送方式の放送波を受信する場合に適用可能となるものである。また、放送波について説明したが、本発明はこれに限定されるものではなく、通信を介してデータを受信できる場合についても適用可能である。また、上述した説明においては、説明の簡単化のため、２つの放送波について説明したが、本願発明はこれに限定されるものではなく、３つ以上の放送波に適用することも可能である。
【産業上の利用可能性】
【００３２】
本発明に係るデジタル放送受信装置は、固定受信機向けと携帯受信機向けの放送の両方を受信するデジタル放送受信機として有用である。
【図面の簡単な説明】
【００３３】
【図１】本発明に係るデジタル放送受信機の第１の構成図
【図２】本発明に係るデジタル放送受信機の第２の構成図
【符号の説明】
【００３４】
１０１    放送受信部
１０２    放送分離部
１０３    固定放送復号化部
１０４    移動放送復号化部
１０５    出力切替部
１０６    ユーザーI/F部
１０７    放送切替方法設定部
２０７    サイマル放送判定部
２０８    サイマル放送切替方法設定部
【図１】
2009290507.tif 000003
【図２】
2009290507.tif 000004